(57)【要約】【課題】  利用者の利便性を向上させつつ、多様な表現態様のメッセージを電子メールにより伝達する。【解決手段】  送信元の携帯電話装置１０の雛型ファイル準備部が、送信先の携帯電話装置２０に伝達しようとするメッセージにおける雛型要素のグラフィックス記述言語を用いた記述を含む雛型ファイルを準備する。また、送信元の携帯電話装置１０の送信メール処理部が、雛型要素が引用するメッセージにおける固有要素を準備する。こうして伝達すべきメッセージを構成する雛型要素と固有要素とが揃うと、送信元の携帯電話装置１０が、雛型ファイルと固有要素とを含む電子メールを送信先の携帯電話装置２０へ送る。送信先の携帯電話装置２０において受信された電子メールに含まれる雛形ファイルが展開され、雛型要素に固有要素を併せたメッセージが、送信先の携帯電話装置２０の利用者に提示される。【選択図】  図６
2007193670.tif 000002
【特許請求の範囲】
【請求項１】
送信先の通信端末装置に電子メールで伝達しようとするメッセージにおける雛型要素のグラフィックス記述言語を用いた記述を含む雛型ファイルを準備する雛型ファイル準備工程と；
前記雛型要素が引用する前記メッセージにおける固有要素を準備する固有要素準備工程と；
前記送信元の通信端末装置が、前記雛型ファイルと前記固有要素とを含む電子メールを前記送信先の通信端末装置へ送る電子メール送信工程と；
前記電子メールを受けた前記送信先の通信端末装置が、前記雛型ファイルを展開し、前記雛型要素に前記固有要素を併せた前記メッセージを前記送信先の通信端末装置の利用者に提示するメッセージ提示工程と；を備える電子メール通信方法。
【請求項２】
前記電子メールには、前記雛型ファイルの展開の自動起動指定が付与され、
前記電子メールを受けた前記送信先の通信端末装置において前記電子メールの表示が指定されると、前記雛型ファイルの展開が自動的に開始される、ことを特徴とする請求項１に記載の電子メール通信方法。
【請求項３】
前記雛型ファイルは、前記電子メールにおける添付ファイルとして、前記送信元の移動通信端末装置から前記送信先の通信端末装置へ送られる、ことを特徴とする請求項１又は２に記載の電子メール通信方法。
【請求項４】
前記固有要素には、テキスト要素、静止画像要素、動画像要素及び音要素の少なくとも１つが含まれる、ことを特徴とする請求項１〜３のいずれか一項に記載の電子メール通信方法。
【請求項５】
前記固有要素はテキスト要素であり、
前記固有要素は、前記電子メールの本文の少なくとも一部である、ことを特徴とする請求項１〜４のいずれか一項に記載の電子メール通信方法。
【請求項６】
前記固有要素は、前記電子メールにおける添付ファイルとして、前記送信元の通信端末装置から前記送信先の通信端末装置へ送られる、ことを特徴とする請求項１〜４のいずれか一項に記載の電子メール通信方法。
【請求項７】
送信先の通信端末装置に伝達しようとするメッセージにおける雛型要素のグラフィックス記述言語を用いた記述を含む雛型ファイルを準備する雛型ファイル準備手段と；
前記雛型要素が引用する前記メッセージにおける固有要素を準備する固有要素準備手段と；
前記雛型ファイルと前記固有要素とを含む電子メールを前記送信先の通信端末装置へ送る電子メール送信手段と；を備える通信端末装置。
【請求項８】
グラフィックス記述言語を用いて記述した雛型要素を含む雛型ファイルと、前記雛型要素が引用する固有要素とを含む電子メールを受信する電子メール受信手段と；
前記雛型ファイルを展開し、前記雛型雛型要素に前記固有要素を併せたメッセージを提示するメッセージ提示手段と；を備える通信端末装置。
【請求項９】
送信元の通信端末装置から送信先の通信端末装置へ電子メールを送信する電子メール通信システムであって、
前記送信元の通信端末装置が、
送信先の通信端末装置に伝達しようとするメッセージにおける雛型要素のグラフィックス記述言語を用いた記述を含む雛型ファイルを準備する雛型ファイル準備手段と；
前記雛型要素が引用する前記メッセージにおける固有要素を準備する固有要素準備手段と；
前記雛型ファイルと前記固有要素とを含む電子メールを前記送信先の通信端末装置へ送る電子メール送信手段と；を備え、
前記送信先の通信端末装置が、
前記電子メールを受信する電子メール受信手段と；
前記雛型ファイルを展開し、前記雛型要素に前記固有要素を併せたメッセージを提示するメッセージ提示手段と；を備える電子メール通信システム。
【発明の詳細な説明】
【技術分野】
【０００１】
本発明は、電子メール通信方法、通信端末装置及び電子メール通信システムに係り、より詳しくは、送信元の通信端末装置から送信先の通信端末装置への電子メールの通信方法、その方法を使用することができる通信端末装置及び通信システムに関する。
【背景技術】
【０００２】
従来から、携帯電話装置等の通信端末装置間で電子メールの通信が広く行われている。こうした電子メール通信においては、伝達するメッセージを、本文で表現したり、添付ファイルの内容で表現したりしている。
【０００３】
ここで、メッセージを本文で表現する場合には、テキスト文字表現となるので、簡素なメッセージとなる。一方、メッセージを添付ファイルの内容で表現する場合には、テキスト、静止画像、動画像等を適宜組み合わせた多種多様な表現が可能となっている。
【０００４】
こうした添付ファイルの内容を記述する言語としては、グラフィック記述言語が利用可能となっている。このため、メッセージを添付ファイルの内容で表現する方法が、多用されるようになってきている（以下、「従来例」と呼ぶ）。
【発明の開示】
【発明が解決しようとする課題】
【０００５】
上述した従来例の技術は、電子メールで伝達するメッセージとして多種多様な表現ができるという観点からは優れたものである。しかしながら、従来例の技術では、新たなメッセージを作成するために、グラフィック記述言語で、新たなファイル内容全体を記述することが必要であることから、メッセージ作成者が簡易に新たなメッセージを、グラフィック記述言語を用いて作成するには、多くの時間を要することとなっていた。
【０００６】
ところで、メッセージ作成者が新たなメッセージを作成する場合、以前に作成したメッセージの相当の部分を流用したい場合が多々ある。例えば、複数の友人がいる場合に、背景像を同一としつつ、当該背景像に重ねるテキスト文字のみを個々の友人ごとに変更したメッセージを伝達したい場合等がある。かかる場合においても、従来例の技術では、新たなメッセージ内容として、背景像と、新たなメッセージの固有要素との双方をグラフィック記述言語で記載し直すことが必要であった。
【０００７】
本発明は、上記の事情を鑑みてなされたものであり、利用者の利便性を向上させつつ、多様な表現のメッセージを電子メールにより伝達可能な電子メール通信をすることができる電子メール通信方法及び電子メール通信システムを提供することを目的とする。
【課題を解決するための手段】
【０００８】
本発明は、第１の観点からすると、送信先の通信端末装置に伝達しようとするメッセージにおける雛型要素のグラフィックス記述言語を用いた記述を含む雛型ファイルを準備する雛型ファイル準備工程と；前記雛型要素が引用する前記メッセージにおける固有要素を準備する固有要素準備工程と；前記送信元の通信端末装置が、前記雛型ファイルと前記固有要素とを含む電子メールを前記送信先の通信端末装置へ送る電子メール送信工程と；を備える電子メール通信方法である。
【０００９】
この電子メール通信方法では、雛型ファイル準備工程において、送信先の通信端末装置に伝達しようとするメッセージにおける雛型要素のグラフィックス記述言語を用いた記述を含む雛型ファイルが準備される。こうした雛型ファイルの準備は、送信元の通信端末装置において雛型ファイルを作成したり、送信元の通信端末装置がネットワークを介してコンテンツプロバイダのサーバから取得したりすることにより行われる。なお、雛型ファイル内容である雛型要素では、雛型要素とともにメッセージを構成する固有要素を引用するようになっている。
【００１０】
一方、固有要素準備工程において、雛型要素が引用するメッセージにおける固有要素を準備する。こうした固有要素の準備は、送信元の通信端末装置において固有要素を作成したり、作成者が利用可能なパーソナルコンピュータ等の情報機器において作成されたものを取得することにより行われる。
【００１１】
こうして送信先の通信端末装置へ伝達すべきメッセージを構成する雛型要素と固有要素とが揃うと、電子メール送信工程において、送信元の通信端末装置が、雛型ファイルと固有要素とを含む電子メールを送信先の通信端末装置へ送る。そして、メッセージ提示工程において、当該電子メールを受けた送信先の通信端末装置が、雛型ファイルを展開し、雛型要素に前記固有要素を併せた前記メッセージを前記送信先の通信端末装置の利用者に提示する。
【００１２】
このため、雛型要素については再利用を図りつつ、送信元の通信端末装置の利用者の趣味感に合わせた表現形式の新たなメッセージを効率良く作成して、送信先の通信端末装置へ送ることができる。したがって、本発明の電子メール通信方法によれば、利用者の利便性を向上させつつ、多様な表現のメッセージを電子メールにより伝達可能な電子メール通信をすることができる。
【００１３】
本発明の電子メール通信方法では、前記電子メールには、前記雛型ファイルの展開の自動起動指定が付与され、前記電子メールを受けた前記送信先の通信端末装置において前記電子メールの表示が指定されると、前記雛型ファイルの展開が自動的に開始されるようにすることができる。この場合には、雛型ファイルの展開の自動起動指定が付与された電子メールの表示に際しては、送信先の通信端末装置おいて電子メールの表示が指定されると、雛型ファイルの展開が自動的に開始される。したがって、利用者の利便性を更に向上させることができる。
【００１４】
また、本発明の電子メール通信方法では、前記雛型ファイルを前記電子メールにおける添付ファイルとして、前記送信元の通信端末装置から前記送信先の通信端末装置へ送るようにすることができる。この場合には、上述した雛型ファイル準備工程において準備された雛型ファイルを特殊な形式で電子メールに含ませることを要せず、従来から行われている添付ファイルの形式で雛型ファイルを電子メールに含ませることができる。
【００１５】
また、本発明の電子メール通信方法では、前記固有要素には、テキスト要素、静止画像要素、動画像要素及び音要素の少なくとも１つが含まれるようにすることができる。この場合には、作成者の趣味感に応じた表現形式のメッセージを作成することができる。
【００１６】
また、本発明の電子メール通信方法では、前記固有要素がテキスト要素であり、前記固有要素は、前記電子メールの本文の少なくとも一部であるようにすることができる。この場合には、メッセージの固有要素がテキスト要素に限定されることになるが、簡易に作成者の趣味感に応じた表現形式のメッセージを作成することができる。
【００１７】
また、本発明の電子メール通信方法では、前記固有要素が、前記電子メールにおける添付ファイルとして、前記送信元の通信端末装置から前記送信先の通信端末装置へ送られるようにすることができる。この場合には、メッセージの固有要素を作成者の趣味感に応じた表現形式とすることができる。
【００１８】
本発明は、第２の観点からすると、送信先の通信端末装置に伝達しようとするメッセージにおける雛型要素のグラフィックス記述言語を用いた記述を含む雛型ファイルを準備する雛型ファイル準備手段と；前記雛型要素が引用する前記メッセージにおける固有要素を準備する固有要素準備手段と；前記雛型ファイルと前記固有要素とを含む電子メールを前記送信先の通信端末装置へ送る電子メール送信手段と；を備える第１の通信端末装置である。
【００１９】
この第１の通信端末装置では、雛型ファイル準備手段が、送信先の通信端末装置に伝達しようとするメッセージにおける雛型要素のグラフィックス記述言語を用いた記述を含む雛型ファイルを準備する。また、固有要素準備手段が、雛型要素が引用するメッセージにおける固有要素を準備する。
【００２０】
こうして送信先の通信端末装置へ伝達すべきメッセージを構成する雛型要素と固有要素とが揃うと、電子メール送信手段が、送信元の通信端末装置が、雛型ファイルと固有要素とを含む電子メールを送信先の通信端末装置へ送る。すなわち、本発明の第１の通信端末装置は、上述した本発明の電子メール通信方法における送信元の通信端末装置として要求される機能を果たすことができる。
【００２１】
本発明は、第３の観点からすると、グラフィックス記述言語を用いて記述した雛型要素を含む雛型ファイルと、前記雛型要素が引用する固有要素とを含む電子メールを受信する電子メール受信手段と；前記雛型ファイルを展開し、前記雛型雛型要素に前記固有要素を併せたメッセージを提示するメッセージ提示手段と；を備える第２の通信端末装置である。
【００２２】
この第２の通信端末装置では、電子メール受信手段が、グラフィックス記述言語を用いて記述した雛型要素を含む雛型ファイルと、雛型要素が引用する固有要素とを含む電子メールを受信する。そして、メッセージ提示手段が、雛型ファイルを展開し、雛型要素に固有要素を併せたメッセージを利用者に提示する。すなわち、本発明の第２の通信端末装置は、上述した本発明の電子メール通信方法における送信先の通信端末装置として要求される機能を果たすことができる。
【００２３】
本発明は、第４の観点からすると、送信元の通信端末装置から送信先の通信端末装置へ電子メールを送信する電子メール通信システムであって、前記送信元の通信端末装置が、送信先の通信端末装置に伝達しようとするメッセージにおける雛型要素のグラフィックス記述言語を用いた記述を含む雛型ファイルを準備する雛型ファイル準備手段と；前記雛型要素が引用する前記メッセージにおける固有要素を準備する固有要素準備手段と；前記雛型ファイルと前記固有要素とを含む電子メールを前記送信先の通信端末装置へ送る電子メール送信手段と；を備え、前記送信先の通信端末装置が、前記電子メールを受信する電子メール受信手段と；前記雛型ファイルを展開し、前記雛型要素に前記固有要素を併せたメッセージを提示するメッセージ提示手段と；を備える電子メール通信システムである。
【００２４】
この電子メール通信システムでは、送信元の通信端末装置の雛型ファイル準備手段が、送信先の通信端末装置に伝達しようとするメッセージにおける雛型要素のグラフィックス記述言語を用いた記述を含む雛型ファイルを準備する。また、送信元の通信端末装置の固有要素準備手段が、雛型要素が引用するメッセージにおける固有要素を準備する。
【００２５】
こうして送信先の通信端末装置へ伝達すべきメッセージを構成する雛型要素と固有要素とが揃うと、送信元の通信端末装置の電子メール送信手段が、雛型ファイルと固有要素とを含む電子メールを送信先の通信端末装置へ送る。こうして送信元の通信端末装置から送られた電子メールを、送信先の通信端末装置の電子メール受信手段が受ける。そして、送信先の通信端末装置のメッセージ提示手段が、雛型ファイルを展開し、雛型要素に前記固有要素を併せた前記メッセージを送信先の通信端末装置の利用者に提示する。
【００２６】
すなわち、本発明の電子メール通信システムでは、上述した本発明の電子メール通信方法を使用して、電子メールの通信を行うことができる。したがって、本発明の電子メール通信システムによれば、利用者の利便性を向上させつつ、多様な表現のメッセージを電子メールにより伝達可能な電子メール通信をすることができる。
【発明の効果】
【００２７】
以上説明したように、本発明の電子メール通信方法及び電子メール通信システムによれば、利用者の利便性を向上させつつ、多様な表現のメッセージを電子メールにより伝達可能な電子メール通信をすることができるという効果を奏する。
【００２８】
また、本発明の第１及び第２の通信端末装置によれば、本発明の電子メール通信方法を使用することができるという効果を奏する。
【発明を実施するための最良の形態】
【００２９】
以下、本発明の一実施形態を、図１〜図８を参照して説明する。なお、本実施形態では、電子メールの通信をおこなう通信端末装置が携帯電話装置である場合を例示して説明する。また、以下の説明においては、同一又は同等の要素には同一符号を付し、重複する説明を省略する。
【００３０】
［構成］
図１には、本実施形態の通信システム１００の概略的な構成がブロック図にて示されている。図１に示されるように、この通信システム１００は、（ａ）電子メールの送受信機能を有する携帯電話装置１０，２０と、（ｂ）携帯電話装置１０，２０が無線通信を行う基地局５２，５３，…と、（ｃ）基地局５２，５３，…が接続され、不図示のメールサーバ等を含むネットワーク５０と、（ｄ）ネットワークに接続されたコンテンツサーバ３０とを備えている。なお、図１においては、携帯電話装置１０と基地局５２とが無線通信を行うとともに、携帯電話装置２０と基地局５３とが無線通信を行う場合の例が示されているが、携帯電話装置１０，２０が無線通信を行う基地局は、基地局５２，５３に限定されるものではない。
【００３１】
次に、携帯電話装置１０の構成を、図２（Ａ）、図２（Ｂ）及び図３を参照して説明する。ここで、図２（Ａ）は携帯電話装置１０の外観の正面図であり、図２（Ｂ）は携帯電話装置１０の外観の裏面図である。また、図３は、携帯電話装置１０の機能ブロック図である。
【００３２】
図２（Ａ）及び図２（Ｂ）により総合的に示されるように、携帯電話装置１０は、（ａ）携帯電話装置本体１１と、（ｂ）電話番号，文字等を制御部２１へ入力するためのテンキー、及び、各種指令を制御部２１へ入力するためのファンクションキーを有する操作部１２と、（ｃ）制御部２１による指令に応じて操作案内、動作状況、受信メッセージ等を表示する表示部（ディスプレイ）１３とを備えている。また、携帯電話装置１０は、（ｄ）通話時に通信相手から送信された音声信号を再生する通話用スピーカ１４と、（ｅ）通話時に音声を入力するためのマイクロフォン１５と、（ｆ）制御部２１による指令に応じて着信音や案内音を発生するための案内用スピーカ１６とを備えている。
【００３３】
携帯電話装置本体１１は、図３に示されるように、（ｉ）携帯電話装置１０の各部の動作を制御する制御部２１と、（ii）無線信号用のアンテナ１７を有し無線信号を送受信する送受信部２２と、（iii）各種データを記憶する記憶部２３とを備えている。
【００３４】
記憶部２３には、雛型ファイル２６が記憶されるようになっている。雛型ファイル２６の内容は、例えばアドビ社のＦｌａｓｈ等のグラフィック記述言語にて記載されている。この雛型ファイル２６の内容の例が、図４に示されている。この図４の例に示されるように、雛型ファイル２６の内容は、雛型グラフィックス記述２７と、引用指定とから構成されている。この引用指定は、雛型ファイル２６を利用して作成されるメッセージの固有要素の指定である。なお、図４においては、メール本文引用指定２８と、別ファイル引用指定２９が含まれる場合が示されている。
【００３５】
雛型グラフィックス記述２７には、雛型要素である表示画面構成指定や音出力タイミング指定等が記述されている。また、雛型グラフィックス記述２７には、必要に応じて、雛型画像情報が記述される。図５には、雛型ファイル２６において、（ｉ）雛型グラフィックス記述２７に表示画面構成指定及び雛型画像情報が記述され、（ii）メール本文引用指定２８と別ファイル引用指定２９がなされており、（iii）別ファイルが画像ファイルであった場合における表示画面構成例が示されている。
【００３６】
メール本文引用指定２８には、メール本文を引用する旨が記述される。また、別ファイル引用指定には、別ファイルを引用する旨、並びに引用するファイルの所在、名称及びデータ形式等が記述される。
【００３７】
なお、雛型ファイル２６は、携帯電話装置１０で作成することも可能であるが、コンテンツサーバ３０（図１参照）からネットワーク５０を介して取得することも可能となっている。
【００３８】
図１に戻り、制御部２１は、中央処理装置（Central Processing Unit：ＣＰＵ）、デジタル信号処理装置（Digital Signal Processor）等を備えて構成されている。この制御部２１において各種プログラムを実行することにより、上述した構成要素を制御して、携帯電話装置１０としての機能が実現される。こうして制御部２１において実行されるブログラムの１つとして、電子メールに関連する処理を行うメール処理プログラム７０がある。
【００３９】
メール処理ブログラム７０は、雛型ファイル準備部７１と、送信メール処理部７２と、受信メール処理部７３とを備えている。ここで、雛型ファイル準備部７１は、これから作成しようとするメッセージにおいて利用する雛型ファイル２６が記憶部２３内に格納されていない場合には、携帯電話装置１０の利用者の操作部１２を介した指令に従って、コンテンツサーバ３０からネットワークを介して、雛型ファイル２６を取得する。こうして取得された雛型ファイル２６は、記憶部２３に格納される。
【００４０】
送信メール処理部７２は、通常のメッセージの作成処理及び通常のメッセージを含む電子メールの送信処理に加えて、上述の雛型ファイル２６を利用したメッセージの作成処理及び雛型ファイル２６を利用したメッセージを含む電子メールの送信処理を行う。雛型ファイル２６を利用したメッセージの作成に際しては、送信メール処理部７２は、雛型ファイル２６中にメール本文引用指定２８が存在するか否かにかかわらず、携帯電話装置１０の利用者の操作部１２を介した指令に従って、メール本文を設定する。
【００４１】
また、送信メール処理部７２は、雛型ファイル２６中に別ファイル引用指定２９が存在する場合には、引用されるファイルを用意し、別ファイル引用指定２９で指定されているファイル名を付与する。そして、送信メール処理部７２は、携帯電話装置１０の利用者の操作部１２を介した指令に従って、雛型ファイル２６及び別ファイル引用指定２９で指定されているファイルを添付ファイルに設定する。
【００４２】
また、送信メール処理部７２は、メール標題及び宛先を、携帯電話装置１０の利用者の操作部１２を介した指令に従って設定する。また、雛型ファイル２６を利用したメッセージを含む電子メールの場合には、携帯電話装置１０の利用者の操作部１２を介した指令に従って、雛型ファイル２６の自動展開の起動指定を当該電子メールに付与する。こうして電子メールが作成された後、送信メール処理部７２は、携帯電話装置１０の利用者の操作部１２を介した送信指令に応答して、送受信部２２を介して、送信先へ向けて電子メールを送信する。
【００４３】
受信メール処理部７３は、通常のメッセージを含む電子メールの受信処理及び電子メールの利用者への提示処理に加えて、上述の雛型ファイル２６を利用したメッセージを含む電子メールの受信処理及び雛型ファイル２６を利用したメッセージを含む電子メールの内容の提示処理を行う。雛型ファイル２６を利用したメッセージを含む電子メールの内容の提示処理に際して、上記の雛型ファイル２６の自動展開の起動指定がされていない場合には、受信メール処理部７３は、携帯電話装置１０の利用者の操作部１２を介した雛型ファイル２６の展開指令に応答して、雛型ファイル２６を展開する。一方、雛型ファイル２６の自動展開の起動指定がされている場合には、受信メール処理部７３は、携帯電話装置１０の利用者の操作部１２を介した当該電子メールの内容表示指令がなされると、直ちに雛型ファイル２６を展開する。
【００４４】
図１に戻り、携帯電話装置２０は、上記の携帯電話装置１０と同様に構成されている。
【００４５】
コンテンツサーバ３０は、様々な種類の雛型ファイルを保有している。そして、ネットワーク５０を介して、雛型ファイルの種類を指定した取得要求を受けると、コンテンツサーバ３０は、指定された雛型ファイルを、ネットワーク５０を介して、取得要求の発行元へ供給するようになっている。
【００４６】
［動作］
次に、上記のように構成された通信システム１００における電子メールの通信処理について、上述した雛型ファイル２６を利用して作成されたメッセージを含む電子メールの通信処理に着目して説明する。なお、以下の説明においては、携帯電話装置１０から携帯電話装置２０へ電子メールが送られる場合について、説明する。
【００４７】
携帯電話装置１０の利用者が携帯電話装置２０へ向けて、雛型ファイル２６を利用して作成されたメッセージを含む電子メールを送る際には、図６に示されるように、まず、ステップＳ１１において、電子メールの作成処理が行われる。このステップＳ１１では、図７に示されるように、まず、ステップＳ２１において、雛型ファイル準備部７１が雛型ファイル２６を準備する。かかる雛型ファイル２６の準備に際して、雛型ファイル準備部７１は、記憶部２３内に雛型ファイル２６が存在しない場合に、利用者の操作部１２を介した指令に従って、コンテンツサーバ３０からネットワークを介して、雛型ファイル２６を取得する。こうして取得された雛型ファイル２６は、記憶部２３に格納される。なお、記憶部２３内に雛型ファイル２６が存在する場合には、ステップＳ２１の処理は省略することができる。
【００４８】
引き続き、ステップＳ２２において、送信メール処理部７２が、雛型ファイル２６を利用したメッセージの固有要素を準備する。かかる固有要素の準備に際して、雛型ファイル２６内の雛型要素がメール本文引用指定をしている場合には、送信メール処理部７２は、利用者の操作部１２を介した本文入力結果を電子メール内のメール本文とすることにより、固有要素が準備される。また、雛型ファイル２６内の雛型要素が別ファイル引用指定をしている場合には、送信メール処理部７２は、利用者が操作部１２を介して指定したファイルを複製した後に、複製されたファイルの名称を、別ファイル引用指定に記述されているファイル名とする。こうして、雛型ファイル２６を利用したメッセージの固有要素が準備される。
【００４９】
次に、ステップＳ２３において、送信メール処理部７２が、利用者の操作部１２を介した指令に従って、電子メールの宛先として携帯電話装置２０の識別子及び標題を設定する。なお、雛型ファイル２６内の雛型要素がメール本文引用指定をしていない場合には、メール本文の設定は、このステップＳ２３において行われる。引き続き、ステップＳ２４において、送信メール処理部７２が、利用者の操作部１２を介した指令に従って、雛型ファイル２６を、電子メールの添付ファイルとする。
【００５０】
次いで、ステップＳ２５において、送信メール処理部７２が、固有要素として別ファイルが有るか否かを判定する。この判定の結果が否定的な場合には、処理はステップＳ２７へ進む。一方、ステップＳ２５における判定の結果が肯定的であった場合には、ステップＳ２６において、送信メール処理部７２が、利用者の操作部１２を介した指令に従って、当該別ファイルを、電子メールの添付ファイルとする。そして処理はステップＳ２７へ進む。
【００５１】
ステップＳ２７では、送信メール処理部７２が、当該電子メールに対して雛型ファイル２６の自動展開指定が利用者により指定されているか否かを判定する。この判定の結果が否定的であった場合には、ステップＳ１１における電子メール作成処理を終了する。一方、ステップＳ２７における判定結果が肯定的であった場合には、送信メール処理部７２が、雛型ファイル２６の自動展開指定を、当該電子メールに付与する。この後、ステップＳ１１における電子メール作成処理を終了する。
【００５２】
以上のようにして雛型ファイル２６を利用したメッセージを含む電子メールが作成されると、図６のステップＳ１２において、携帯電話装置１０の送信メール処理部７２が、作成された電子メールを、携帯電話装置１０の送受信部２２を介して、携帯電話装置２０へ向けて送信する。こうして携帯電話装置１０から送信された電子メールは、ステップＳ１３において、携帯電話装置２０の送受信部２２を介して、携帯電話装置２０の受信メール処理部７３によって受信される。
【００５３】
この後、携帯電話装置２０の操作部１２を介して、携帯電話装置２０の利用者により、当該電子メール開封指令がなされると、ステップＳ１４において、携帯電話装置２０の受信メール処理部７３が、当該電子メールに含まれるメッセージの提示処理を行う。このステップＳ１４では、図８に示されるように、まず、ステップＳ３１において、受信メール処理部７３が、開封指令がされた電子メールに自動展開指定が付与されているか否かを判定する。この判定の結果が肯定的であった場合には、処理はステップＳ３４へ進行する。
【００５４】
一方、ステップＳ３１における判定の結果が否定的であった場合には、受信メール処理部７３が、ステップＳ３２において、携帯電話装置２０の表示部１３に電子メールに関する通常の表示を行う。すなわち、送信元である携帯電話装置１０の識別子、標題、本文及び添付ファイル名をテキスト表示する。
【００５５】
引き続き、ステップＳ３３において、受信メール処理部７３が、雛形ファイル２６の展開指令がなされたか否かを判定する。この判定の結果が否定的であった場合には、上記のステップＳ３２における電子メールに関する通常の表示処理を継続しつつ、ステップＳ３３の判定が繰り返される。そして、携帯電話装置２０の利用者が、操作部１２を介して、雛形ファイル２６の展開指令を行ったことにより、ステップＳ３３における判定の結果が肯定的となると、処理はステップＳ３４へ進む。
【００５６】
ステップＳ３４では、受信メール処理部７３が、雛形ファイル２６の展開を行う。この結果、雛形要素と固有要素とから構成されたメッセージが利用者に提示される。例えば、雛形要素及び固有要素の双方が、テキスト、静止画像又は動画像である場合には、メッセージ全体が、表示部１３に表示される。また、固有要素に音が含まれる場合には、表示部１３への表示とともに、通話用スピーカ１４又は案内用スピーカ１６から固有要素の音が出力される。こうして、ステップＳ３４の処理が終了すると、処理はステップＳ３２へ進行する。そして、メッセージ提示処理の終了指令が利用者によってなされるまで、上記のステップＳ３２〜Ｓ３４の処理が繰り返される。
【００５７】
なお、携帯電話装置２０から携帯電話装置１０への雛形ファイルを利用したメッセージを含む電子メールの通信処理も、上記と同様にして行われる。
【００５８】
以上説明したように、本実施形態では、送信元の携帯電話装置の雛型ファイル準備部７１が、送信先の携帯電話装置に伝達しようとするメッセージにおける雛型要素のグラフィックス記述言語を用いた記述を含む雛型ファイルを準備する。一方、送信元の携帯電話装置の送信メール処理部７２が、雛型要素が引用するメッセージにおける固有要素を準備する。こうして送信先の携帯電話装置へ伝達すべきメッセージを構成する雛型要素と固有要素とが揃うと、送信メール処理部７２が、雛型ファイルと固有要素とを含む電子メールを送信先の通信端末装置へ送る。当該電子メールは、送信先の携帯電話装置の受信メール処理部７３により受信される。そして、受信メール処理部７３が、雛形ファイルを展開し、雛型要素に固有要素を併せたメッセージを送信先の通信端末装置の利用者に提示する。
【００５９】
このため、雛型要素については再利用を図りつつ、送信元の携帯電話装置の利用者の趣味感に合わせた表現形式の新たなメッセージを効率良く作成して、送信先の携帯電話装置へ送ることができる。したがって、本実施携帯によれば、利用者の利便性を向上させつつ、多様な表現のメッセージを電子メールにより伝達可能な電子メール通信をすることができる。
【００６０】
また、本実施形態では、雛形ファイルの自動展開指定を、送信元の携帯電話装置の利用者が任意に電子メールに付与できるようになっている。このため、利用者の利便性を更に向上させることができる。
【００６１】
また、本実施形態では、雛型ファイルを電子メールにおける添付ファイルとして、送信元の携帯電話装置から送信先の携帯電話装置へ送る。このため、雛型ファイル準備部７１が準備した雛型ファイルを特殊な形式で電子メールに含ませることを要せず、従来から行われている添付ファイルの形式で雛型ファイルを電子メールに含ませることができる。
【００６２】
なお、雛形ファイル内の雛形グラフィック記述においてメール本文の引用を行う場合には、テキスト要素を簡易に固有要素とすることができる。また、雛形ファイル内の雛形グラフィック記述において別ファイル引用を行う場合には、引用ファイルとして、テキスト、静止画像、動画像、音等の様々な種類のオブジェクトを選ぶことができるので、作成者の趣味感に応じた表現形式のメッセージを作成することができる。
【００６３】
また、上記の実施形態では、雛形要素を記述するグラフィック記述言語として、アドビ社のＦｌａｓｈを例示したが、ＳＶＧ Ｔｉｎｙ（Scalable Vector Graphics Tiny）、ＳＶＧ Ｂａｓｉｃ（Scalable Vector Graphics Basic）、ＰｏｓｔＳｃｒｉｐｔ、ＶＲＭＬ（Virtual Reality Modeling Language）、Ｘ３Ｄ（eXtensible 3D）等を採用することもできる。
【００６４】
また、上記の実施形態では、携帯電話装置間における電子メール通信について説明したが、送信側又は受信側の一方又は双方を他の種類の移動通信端末装置又はパーソナルコンピュータ等の通信端末装置とすることもできる。
【産業上の利用可能性】
【００６５】
以上説明したように、本発明の電子メール通信方法及び電子メール通信システムは、電子メールの通信に適用することができる。また、本発明の第１及び第２の通信端末装置は、電子メール通信システムの構築に採用することができる。
【図面の簡単な説明】
【００６６】
【図１】本発明の電子メール処理方法が使用される電子メール通信システムの概略的な構成図である。
【図２】図１の携帯電話装置の外観を概略的に示す図である。
【図３】図２の携帯電話装置の機能ブロック図である。
【図４】図３の雛形ファイルの構成例を説明するための図である。
【図５】図４の雛形グラフィック記述による画面構成指定例を説明するための図である。
【図６】図１の通信システムにおける電子メール通信処理を説明するためのシーケンス図である。
【図７】図６の電子メール作成処理を説明するためのフローチャートである。
【図８】図６のメッセージ提示処理を説明するためのフローチャートである。
【符号の説明】
【００６７】
１０，２０…携帯電話装置（通信端末装置）、１１…携帯電話装置本体、１２…操作部、１３…表示部、１４…通話用スピーカ、１５…マイクロフォン、１６…案内用スピーカ、１７…アンテナ、２１…制御部、２２…送受信部、２３…記憶部、２６…雛形ファイル、２７…雛形グラフィックス記述（雛形要素）、２８…メール本文引用指定、２９…別ファイル引用指定、３０…コンテンツサーバ、７０…メール処理プログラム、７１…雛形ファイル準備部、７２…送信メール処理部（固有要素準備手段、電子メール送信手段）、７３…受信メール処理部（電子メール受信手段、メッセージ提示手段）、１００…通信システム。
【図１】
2007193670.tif 000003
【図２】
2007193670.tif 000004
【図３】
2007193670.tif 000005
【図４】
2007193670.tif 000006
【図５】
2007193670.tif 000007
【図６】
2007193670.tif 000008
【図７】
2007193670.tif 000009
【図８】
2007193670.tif 000010